(57)【要約】  【課題】  情報記憶装置から取得した画像データ（ファイル）が画像形成可能か否かを判定し、画像形成不可能であると判定した場合に、画像形成が不可能であることを報知することにより、利用者の不安感を解消することができる画像形成装置を提供する。  【解決手段】  本発明の画像形成装置としてのファクシミリ複合装置２０は、ＣＩＦＳプロトコルのブラウズ機能により、ＰＣ３０ａ，３０ｂ，…にアクセスし、フォルダ名およびファイル名を含む識別情報を取得し、取得した識別情報を表示部４に表示する。そして、ダイレクト印刷を行う一又は複数の指定ファイルの入力を操作部５にて受け付け、ＣＩＦＳプロトコルのファイルコピー機能により画像メモリ８にコピーする。コピーした指定ファイルが印刷不可能である場合は、指定ファイルが印刷不可能である旨を表示部４に表示して利用者に報知する。【選択図】      図１
2005161556.tif 000002
【特許請求の範囲】
【請求項１】
ネットワークを介して情報記憶装置に接続され、該情報記憶装置に記憶されている画像データを取得して、取得した画像データに係る画像を記録紙に形成する画像形成装置において、取得した画像データが画像形成可能か否かを判定する手段と、該手段にて画像形成不可能であると判定した場合に、画像データの画像形成が不可能であることを報知する手段とを備えることを特徴とする画像形成装置。
【請求項２】
ネットワークを介して情報記憶装置に接続され、該情報記憶装置に記憶されている画像データを取得して、取得した画像データに係る画像を記録紙に形成する画像形成装置において、前記情報記憶装置から一または複数の画像データに係る識別情報を取得する手段と、取得した識別情報に基づいて、該識別情報に係る画像データが画像形成可能か否かを判定する手段と、該手段にて画像形成不可能であると判定した場合に、画像データの画像形成が不可能であることを報知する手段とを備えることを特徴とする画像形成装置。
【請求項３】
前記情報記憶装置から取得した識別情報を表示する手段と、表示した識別情報のうちの少なくとも一の識別情報を指定する手段とをさらに備え、指定した識別情報に基づいて、前記情報記憶装置から画像データを取得すべくなしてあることを特徴とする請求項２に記載の画像形成装置。
【発明の詳細な説明】
【技術分野】
【０００１】
本発明は、ネットワークを介して接続された情報記憶装置に記憶されている画像データに係る画像を記録紙上に形成する画像形成装置に関する。
【背景技術】
【０００２】
プリンタ機能、複写機能、スキャン機能およびファクシミリ機能などの多彩な機能を搭載したファクシミリ複合装置は、ＬＡＮおよびインターネットなどのネットワークを介して複数のＰＣ、ワークステーションなど（以下、単にＰＣという）に接続され、オフィスにおけるドキュメント入出力業務に利用されている。このような複数のＰＣ及びファクシミリ複合装置を接続したネットワークプリントシステムにおいては、ＰＣの印刷要求により、ネットワークを介して画像形成装置たるファクシミリ複合装置にて印刷が実行される。
【０００３】
また、ネットワークに接続されたＰＣが備える情報記憶装置（磁気ディスク装置、半導体メモリなど）に記憶されている画像データなどのファイルを、画像形成装置側から指定して印刷する機能（ダイレクト印刷機能）を備えているものがある（例えば、特許文献１参照）。このようなダイレクト印刷機能は、ＰＣを操作して印刷要求を出すことなく、画像形成装置の操作パネルなどから印刷を行いたい画像データのファイルを直接指定して、当該ファイルを取得して印刷することが可能となる。さらに、特許文献１に開示されている画像形成装置は、印刷指定されたファイルが印刷不可能である場合に、そのファイルをＰＣに対して印刷可能なファイル形式（ＴＩＦＦ、ＰＤＦ、ＪＰＥＧなど）へ変換を行わせるようにして、画像形成装置にて印刷できるようにしている。
【特許文献１】特開２００２−３４２０５０号公報
【発明の開示】
【発明が解決しようとする課題】
【０００４】
しかしながら、前述した画像形成装置は、印刷指定されたファイルが印刷不可能である場合、ＰＣが、そのファイルを、印刷可能な所定のファイル形式に変換する必要があるため、ＰＣに対して割り込み処理を生じせしめる結果となり、ＰＣの処理負担が大きくなってしまい、ＰＣ側の利用者に迷惑がかかる。加えて、ダイレクト印刷を要求したにもかかわらず、印刷の実行が遅延し、画像形成装置側の利用者に不安感を与えてしまうという問題があった。また、ファイル形式の変換を行うＰＣが必ず動作しているとは限らず、その場合には、ダイレクト印刷することができなくなる。よって、ダイレクト印刷を要求したにもかかわらず、印刷が実行されないために画像形成装置側の利用者に不安感を与えてしまうという問題があった。
【０００５】
本発明は斯かる事情に鑑みてなされたものであり、情報記憶装置から取得した画像データが画像形成可能か否かを判定し、画像形成不可能であると判定した場合に、画像形成が不可能であることを報知することにより、利用者の不安感を解消することができる画像形成装置の提供を目的とする。
【０００６】
また本発明は、情報記憶装置から画像データに係る識別情報を取得し、識別情報に基づいて該識別情報に係る画像データが画像形成可能か否かを判定し、画像形成不可能であると判定した場合に、画像形成が不可能であることを報知することにより、利用者の不安感を解消することができるとともに、実際に画像データを取得することなく判定できるため、たとえ取得したとしても現実には意味のない画像データの取得を防止することができる画像形成装置の提供を目的とする。
【０００７】
さらに本発明は、情報記憶装置から取得した識別情報を表示し、表示した識別情報のうちの少なくとも一の識別情報を指定することにより、所望する画像データを確実に指定することができ、指定した識別情報に係る画像データを情報記憶装置から取得することができる画像形成装置の提供を目的とする。
【課題を解決するための手段】
【０００８】
第１発明に係る画像形成装置は、ネットワークを介して情報記憶装置に接続され、該情報記憶装置に記憶されている画像データを取得して、取得した画像データに係る画像を記録紙に形成する画像形成装置において、取得した画像データが画像形成可能か否かを判定する手段と、該手段にて画像形成不可能であると判定した場合に、画像データの画像形成が不可能であることを報知する手段とを備えることを特徴とする。
【０００９】
第１発明にあっては、ネットワークを介して接続された情報記憶装置から画像データ（ファイル）を取得し、取得した画像データが画像形成可能か否かを判定する。そして、取得した画像データが画像形成不可能であると判定した場合は、その旨を報知して利用者に知らしめる。よって、利用者は、画像形成不可能である旨の報知によって、当該画像データに対しては画像形成が行えないことを容易に認識することができる。
【００１０】
第２発明に係る画像形成装置は、ネットワークを介して情報記憶装置に接続され、該情報記憶装置に記憶されている画像データを取得して、取得した画像データに係る画像を記録紙に形成する画像形成装置において、前記情報記憶装置から一または複数の画像データに係る識別情報を取得する手段と、取得した識別情報に基づいて、該識別情報に係る画像データが画像形成可能か否かを判定する手段と、該手段にて画像形成不可能であると判定した場合に、画像データの画像形成が不可能であることを報知する手段とを備えることを特徴とする。
【００１１】
第２発明にあっては、ネットワークを介して接続された情報記憶装置から画像データの識別情報を取得し、取得した識別情報に基づいて、画像データが画像形成可能か否かを判定する。そして、画像データが画像形成不可能であると判定した場合は、その旨を報知して利用者に知らしめる。よって、利用者は、画像形成不可能である旨の報知によって、画像データが実際に取得される前に、当該画像データに対しては画像形成が行えないことを容易に認識することができる。また、画像データの識別情報によって画像データが印刷可能か否かを判定するので、実際に画像データを取得することなく判定できるため、たとえ取得したとしても現実には意味のない画像データの取得を防止して、ネットワーク内のトラフィック量を削減できる。
【００１２】
第３発明に係る画像形成装置は、第２発明において、前記情報記憶装置から取得した識別情報を表示する手段と、表示した識別情報のうちの少なくとも一の識別情報を指定する手段とをさらに備え、指定した識別情報に基づいて、前記情報記憶装置から画像データを取得すべくなしてあることを特徴とする。
【００１３】
第３発明にあっては、ネットワークを介して接続された情報記憶装置から取得した識別情報を表示し、表示した識別情報のうちの少なくとも一の識別情報を指定することにより、画像データを情報記憶装置から取得する。よって、利用者は、情報記憶装置にどのような画像データが格納されているかを容易に確認することができる。また、識別情報を指定するように構成されているため、所望する画像データを確実に指定することができ、意図しない画像データを取得するような虞は全くない。
【発明の効果】
【００１４】
本発明によれば、ネットワークを介して接続された情報記憶装置から取得した画像データが画像形成不可能である場合は、その旨を報知するようにしたので、その報知によって当該画像データに対しては画像形成が行えないことを利用者に知らしめることができる。
【００１５】
また本発明によれば、情報記憶装置から画像データに係る識別情報を取得することにより、取得した識別情報に基づいて、画像データが画像形成可能か否かを判定することができるため、画像データを実際に取得する前に、当該画像データに対しては画像形成が行えないことを利用者に事前に知らしめることができるとともに、たとえ取得したとしても現実には意味のない画像データの取得を防止して、ネットワーク内のトラフィック量を削減できる。
【００１６】
さらに本発明によれば、情報記憶装置にどのような画像データが格納されているかを表示することにより、利用者に容易に知らしめることができるとともに、識別情報を指定するように構成されているため、所望する画像データを確実に指定することができる等、優れた効果を奏する。
【発明を実施するための最良の形態】
【００１７】
以下、本発明をその実施の形態を示す図面を参照して具体的に説明する。
【００１８】
（実施の形態１）
図１は、本発明の画像形成装置としてのファクシミリ複合装置が接続された態様の通信ネットワーク構成を示すブロック図である。ＬＡＮ５０には、本発明に係るファクシミリ複合装置２０、パーソナルコンピュータ（以下、ＰＣ）３０ａ，３０ｂ，…などが接続されている。なお、ファクシミリ複合装置２０は、公衆電話回線網（ＰＳＴＮ：Public Switched Telephone Network）を用いた従来からのファクシミリ機能としても利用可能であることは言うまでもないので、図においてＰＳＴＮを介して他のファクシミリ装置との接続の態様は省略している。また、以下、画像形成装置としてファクシミリ複合装置に適用した場合につき説明するが、ネットワーク対応型の機器であれば、プリンタ又はファクシミリなどの機器に本発明の画像形成装置を適用してもよい。
【００１９】
ファクシミリ複合装置２０は、制御部１，読取部２，記録部３，表示部４，操作部５，ＲＯＭ６，ＲＡＭ７，画像メモリ８，コーデック部９，モデム１０，ＮＣＵ（Network Control Unit）１１，ＬＡＮインタフェイス部（以下、ＬＡＮＩＦ）１２などを備えている。制御部１は、具体的にはＣＰＵで構成されており、バス１３を介してファクシミリ複合装置２０の上述したようなハードウェア各部と接続されていて、それらを制御すると共に、ＲＯＭ６に格納された制御プログラムに従って、種々のソフトウェア的機能を実行する。
【００２０】
読取部２は、例えばＣＣＤイメージセンサを利用して原稿を読み取り、読み取った画像データを出力する。プラテンガラスに給送された原稿を光学ユニットが照射して走査し、原稿からの反射光をミラー，レンズなどを介してＣＣＤイメージセンサに取り込んで、走査された原稿の画像データを読み取る。読み取られた画像データは、シェーディング処理などが施された後に出力される。記録部３は、電子写真方式のプリンタ装置であって、読取部２にて読み取った原稿の画像データ、ファクシミリ通信により受信した画像データ、外部のＰＣ３０ａ，３０ｂ，…から受信および取得した画像データなどに応じた画像を記録紙に印刷する。
【００２１】
表示部４は、液晶表示装置またはＣＲＴディスプレイなどの表示装置であり、ファクシミリ複合装置２０の動作状態を表示したり、ユーザへ操作入力を促す画面を表示したり、送出すべく読み取った原稿の画像データ、他のファクシミリ装置から取得した画像データ、またはＰＣから受信および取得した画像データなどの表示を行う。また、詳細は後述するが、ダイレクト印刷に関する情報の表示を行うべく構成されている。
【００２２】
操作部５は、ファクシミリ複合装置２０を操作するために必要な文字キー，テンキー，短縮ダイヤルキー，ワンタッチダイヤルキー，各種のファンクションキーなどを備えている。操作部５は、ファンクションキーとして、ダイレクト印刷を行うか否かを設定するダイレクト印刷キー５ａを有する。なお、表示部４をタッチパネル方式とすることにより、操作部５の各種のキーの内の一部または全部を代用することも可能である。
【００２３】
ＲＯＭ６は、ファクシミリ複合装置２０の動作に必要な種々のソフトウェアのプログラムを予め格納している。ＲＡＭ７は、ＳＲＡＭまたはフラッシュメモリなどで構成され、ソフトウェアの実行時に発生する一時的なデータを記憶する。画像メモリ８は、読取部２によって読み取った原稿の画像データ、他のファクシミリ装置から取得した画像データ、ＰＣから受信および取得した画像データなどを蓄積する。コーデック部９は、画像メモリ８に記憶されている画像データにアクセスして、画像データが符号化されている場合には、符号化されている画像データを復号化するとともに、印刷用のイメージデータに変換（ラスタライズ）して記録部３へ出力する。
【００２４】
モデム１０は、バス１３に接続されており、ファクシミリ通信が可能なファクシミリモデムから構成されている。また、モデム１０は、同様にバス１３に接続されたＮＣＵ１１と直接的に接続されている。ＮＣＵ１１は、ＰＳＴＮとの回線５１の閉結及び開放の動作を行うハードウェアであり、必要に応じてモデム１０をＰＳＴＮと接続する。そして、ファクシミリ複合装置２０は、ＰＳＴＮによって他のファクシミリ装置と接続されており、通常のファクシミリ通信が行えるようになっている。
【００２５】
ＬＡＮＩＦ１２は、ＬＡＮ５０を介して外部のＰＣ３０ａ，３０ｂ，…に接続されており、ＰＣ３０ａ，３０ｂ，…との間でデータのやりとりを行う。ＰＣ３０ａ，３０ｂ，…は、記憶部３１、ＬＡＮＩＦ３２を備えており、記憶部３１には、各種の画像データのファイルがフォルダに格納されている。ＰＣ３０ａ，３０ｂ，…で作成・編集された各種の画像データがＬＡＮ５０を介してファクシミリ複合装置２０へ送出され、送出された画像データに応じた画像がファクシミリ複合装置２０（記録部３）にて記録紙に印刷されるようになっている。
また、ＬＡＮＩＦ１２は、例えばＣＩＦＳ（Common Internet File System）プロトコルに準拠した通信制御ができるようになしてあり、ファクシミリ複合装置２０から、ＰＣ３０ａ，３０ｂ，…に対して、リモートファイルアクセスができるように構成されている。つまり、ＬＡＮＩＦ１２は、制御部１に制御されて、ＰＣ３０ａ，３０ｂ，…の記憶部３１のフォルダに格納されているファイルを、ＬＡＮ５０を介して取得する機能を有し、取得した画像データに応じた画像がファクシミリ複合装置２０（記録部３）にて記録紙に印刷されるようになっている。
【００２６】
次に、本発明に係るファクシミリ複合装置が行う動作を、フローチャートを用いて説明する。図２は、本発明の実施の形態１に係るファクシミリ複合装置が行う処理手順を示すフローチャートである。
制御部１は、ダイレクト印刷キー５ａの押下の有無に基づいて、ダイレクト印刷が設定されているか否かを判断する（ステップＳ１）。ダイレクト印刷が設定されていない場合（Ｓ１：ＮＯ）、処理をＳ１に戻す。ダイレクト印刷が設定されている場合（Ｓ１：ＹＥＳ）、制御部１は、ＬＡＮ５０に接続されたＰＣ３０ａ，３０ｂ，…のホスト情報を取得する（ステップＳ２）。ホスト情報は、例えば、ＩＰアドレスなどであり、ファクシミリ複合装置の電源投入またはシステム構成に変更がなされた場合に、自動的に更新されるようになっている。
【００２７】
制御部１は、ＣＩＦＳプロトコルのブラウズ機能により、ホスト情報に基づいてＰＣ３０ａ，３０ｂ，…にアクセスし、各ＰＣがファクシミリ複合装置２０に対して共有を許可しているフォルダ名およびファイル名を含む識別情報を取得する（ステップＳ３）。ＣＩＦＳプロトコルは、リモートファイルアクセスに関するプロトコルであり、ファクシミリ複合装置２０が有するファイルシステムに、ＰＣ３０ａ，３０ｂ，…のファイル情報をマウントして、ＰＣ３０ａ，３０ｂ，…が保有するファイルの識別情報の取得、および当該ファイルの読出／書込を行う。
【００２８】
ファイルの識別情報は、図３のテーブル図に示すように、ファイルを格納しているフォルダ名およびファイル名を含んでおり、これら識別情報を、当該ＰＣを識別するホスト名と関連付けることにより、ネットワーク上で共有する全てのファイルを一意に識別することができる。よって、この識別情報を用いることにより、ネットワークに接続されたＰＣからファイルを取得することができるようになる。
【００２９】
制御部１は、Ｓ３にて取得したフォルダ名およびファイル名を含む識別情報を表示部４に表示する（ステップＳ４）。このようにして、利用者は、各ＰＣが保有するファイル名を、そのファイルが記憶されているフォルダ名とともに、表示部４にて視覚的に確認することができる。そして、制御部１は、ダイレクト印刷を行う一又は複数の指定ファイルの入力を操作部５にて受け付ける（ステップＳ５）。なお、キーワードの入力を操作部５にて受け付け、受け付けたキーワードを含む、または一致する識別情報のみを選別して表示部４に表示するようにしてもよい。このようにすれば、目的とする指定ファイルを利用者が見つけやすくなり、利用者の負担を軽減することができる。
【００３０】
Ｓ４およびＳ５の具体的な表示および受付方法としては、図４に示すような表示画面４０を表示部４に表示する。表示画面４０には、ネットワークを介して接続されているＰＣのホスト名、そのホスト名で識別されるＰＣが保有するフォルダ名、およびそのフォルダ名で識別されるフォルダに格納されているファイルのファイル名がウィンドウ４１に表示される。その表示方式としては、いずれのホストのどのフォルダにいかなるファイルが格納されているかを利用者が容易に確認できるように、階層状（ツリー状）になっている。利用者は、操作部５によって、ダイレクト印刷を要求するファイルを指定する。なお、指定したファイルに係るアイコンには、当該ファイルのホスト名、フォルダ名およびファイル名が利用者に分かるように、色または模様が付けてある。このようにすることにより、利用者は所望するファイルを確実に指定することができ、意図しないファイルを取得するような虞は全くない。なお、図４に示したように、ファイル名の拡張子からファイル形式を判定して表示するようにしてもよい。
【００３１】
制御部１は、Ｓ５にて入力を受け付けた指定ファイルを、その識別情報に基づいて、当該ホスト名によって識別されるＰＣから、ＣＩＦＳプロトコルのファイルコピー機能により取得するとともに画像メモリ８に記憶（以下、取得および記憶処理をコピーという）する（ステップＳ６）。制御部１は、受け付けた指定ファイルのコピーが完了したか否かを判定（ステップＳ７）し、コピーが完了していないと判定した場合（Ｓ７：ＮＯ）には、動作がＳ６に戻って、次の指定ファイルをコピーする。一方、受け付けた指定ファイルのコピーが完了したと判定した場合（Ｓ７：ＹＥＳ）には、コピーした指定ファイルが印刷可能か否かを判定する（ステップＳ８）。例えば、コピーした指定ファイルのヘッダ部を抽出・解析することにより、印刷可能か否かを判定することができる。もちろん、指定ファイルのファイル名の拡張子からファイル形式を判定して、印刷可能か否かを判定してもよい。
【００３２】
コピーした指定ファイルが印刷可能であると判定した場合（Ｓ８：ＹＥＳ）は、指定ファイルに係るデータをコーデック部９によりラスタライズし、記録部３へ出力して記録紙に印刷する（ステップＳ９）。制御部１は、指定ファイルの印刷が完了したか否かを判定（ステップＳ１０）し、指定ファイルの印刷が完了していないと判定した場合（Ｓ１０：ＮＯ）には、動作がＳ９に戻って、次の指定ファイルを記録紙に印刷する。一方、コピーした指定ファイルが印刷不可能であると判定した場合（Ｓ８：ＮＯ）は、指定ファイルが印刷不可能である旨を表示部４に表示して利用者に報知する（ステップＳ１１）。
【００３３】
以上のように、本発明のファクシミリ複合装置２０においては、ＰＣ３０ａ，３０ｂ，…から取得したファイル（画像データ）が画像形成可能か否かを判定し、画像形成不可能であると判定した場合に、画像形成が不可能であることを表示して利用者に報知することにより、利用者の不安感を解消することができる。
【００３４】
（実施の形態２）
本実施形態の画像形成装置としてのファクシミリ複合装置の構成は図１に示すものと同様である。実施の形態１においては、指定したファイルを取得した後に、取得したファイルが印刷可能であるか否かを判定したが、識別情報に含まれるファイル名の情報（例えばファイル拡張子）によって当該ファイルが印刷可能か否かを判別することができるため、指定したファイルを取得する前に、ファイルが印刷可能か否かを判定してもよく、このようにしたものが実施の形態２である。
【００３５】
図５は、本発明の実施の形態２に係るファクシミリ複合装置が行う処理手順を示すフローチャートである。
制御部１は、ダイレクト印刷キー５ａの押下の有無に基づいて、ダイレクト印刷が設定されているか否かを判断する（ステップＳ２１）。ダイレクト印刷が設定されていない場合（Ｓ２１：ＮＯ）、処理をＳ２１に戻す。ダイレクト印刷が設定されている場合（Ｓ２１：ＹＥＳ）、制御部１は、ＬＡＮ５０に接続されたＰＣ３０ａ，３０ｂ，…のホスト情報を取得する（ステップＳ２２）。
【００３６】
制御部１は、ＣＩＦＳプロトコルのブラウズ機能により、ホスト情報に基づいてＰＣ３０ａ，３０ｂ，…にアクセスし、各ＰＣがファクシミリ複合装置２０に対して共有を許可しているフォルダ名およびファイル名を含む識別情報を取得し（ステップＳ２３）、取得したフォルダ名およびファイル名を含む識別情報を表示部４に表示する（ステップＳ２４）。そして、制御部１は、ダイレクト印刷を行う一又は複数の指定ファイルの入力を操作部５にて受け付ける（ステップＳ２５）。
【００３７】
制御部１は、Ｓ２５にて受け付けた指定ファイルが印刷可能か否かを識別情報（例えばファイル拡張子）に基づいて判定する（ステップＳ２６）。受け付けた指定ファイルが印刷可能であると判定した場合（Ｓ２６：ＹＥＳ）、制御部１は、指定ファイルを、その識別情報に基づいて、当該ホスト名によって識別されるＰＣから、ＣＩＦＳプロトコルのファイルコピー機能により画像メモリ８にコピーする（ステップＳ２７）。
【００３８】
制御部１は、受け付けた指定ファイルのコピーが完了したか否かを判定（ステップＳ２８）し、コピーが完了していないと判定した場合（Ｓ２８：ＮＯ）には、動作がＳ２７に戻って、次の印刷可能な指定ファイルをコピーする。一方、受け付けた指定ファイルのコピーが完了したと判定した場合（Ｓ２８：ＹＥＳ）には、指定ファイルが印刷可能であることがすでにＳ２６にて判明されているため、指定ファイルに係るデータをコーデック部９によりラスタライズし、記録部３へ出力して記録紙に印刷する（ステップＳ２９）。制御部１は、指定ファイルの印刷が完了したか否かを判定（ステップＳ３０）し、指定ファイルの印刷が完了していないと判定した場合（Ｓ３０：ＮＯ）には、動作がＳ２９に戻って、次の指定ファイルを記録紙に印刷する。
【００３９】
一方、Ｓ２５にて受け付けた指定ファイルが印刷不可能であると判定した場合（Ｓ２６：ＮＯ）は、指定ファイルが印刷不可能である旨を表示部４に表示して利用者に報知する（ステップＳ３１）。
【００４０】
以上のように、本発明のファクシミリ複合装置２０においては、ＰＣ３０ａ，３０ｂ，…からファイル（画像データ）の識別情報を取得し、識別情報に基づいて該識別情報に係る画像データが画像形成可能か否かを判定し、画像形成不可能であると判定した場合に、画像形成が不可能であることを表示して利用者に報知することにより、利用者の不安感を解消することができる。また、ファイルの識別情報によって指定ファイルが印刷可能か否かを判定することにより、実際に指定ファイルを画像メモリにコピーすることなく判定できるため、たとえコピーしたとしても現実には意味のないファイルのコピーを防止することができる。よって、ネットワーク内のトラフィック量を削減できる。
【００４１】
なお、上述した各実施の形態では、画像形成不可能であると判定した場合に、その旨を表示部４に表示して利用者に報知するようにしたが、音声による報知を行ってもよく、その場合には音声部を設ければよい。
【００４２】
また、上述した各実施の形態では、ＣＩＦＳプロトコルにより、ネットワーク（ＬＡＮ５０）を介して接続された情報記憶装置（ＰＣ３０ａ，３０ｂ，…）へのリモートファイルアクセスを行う形態について示したが、ＦＴＰプロトコル、ＨＴＴＰプロトコルなどによってファイルへのアクセスを行ってもよく、通信規約については限定されるものではない。例えば、ＦＴＰの場合、ｌｓコマンドで情報記憶装置が共有を許可しているフォルダ名およびファイル名を含む識別情報を取得し、ｇｅｔ（ｍｇｅｔ）コマンドで識別情報を指定して情報記憶装置から所望のファイルを取得すればよい。
【図面の簡単な説明】
【００４３】
【図１】本発明の画像形成装置としてのファクシミリ複合装置が接続された態様の通信ネットワーク構成を示すブロック図である。
【図２】本発明の実施の形態１に係るファクシミリ複合装置が行う処理手順を示すフローチャートである。
【図３】ファイルの識別情報の内容を示すテーブル図である。
【図４】ファイルの表示および受付時の表示画面の一例を示す模式図である。
【図５】本発明の実施の形態２に係るファクシミリ複合装置が行う処理手順を示すフローチャートである。
【符号の説明】
【００４４】
１  制御部
２  読取部
３  記録部
４  表示部
５  操作部
５ａ  ダイレクト印刷キー
６  ＲＯＭ
７  ＲＡＭ
８  画像メモリ
１２  ＬＡＮＩＦ
２０  ファクシミリ複合装置
３０ａ，３０ｂ  ＰＣ
３１  記憶部
５０  ＬＡＮ
【図１】
2005161556.tif 000003
【図２】
2005161556.tif 000004
【図３】
2005161556.tif 000005
【図４】
2005161556.tif 000006
【図５】
2005161556.tif 000007